(57)【特許請求の範囲】
【請求項１】
無線ＬＡＮ（ＷＬＡＮ）システムにおいてステーション（ＳＴＡ）がＡＰ（Ａｃｃｅｓｓ  Ｐｏｉｎｔ）に多重ユーザ送信方式で接続する方法であって、
前記ＡＰからトリガー（ｔｒｉｇｇｅｒ）フレームを受信し、
前記トリガーフレームに基づいて前記ＡＰに前記多重ユーザ送信方式でデータを送信することを含み、
前記ＳＴＡは、前記トリガーフレームベースで送信される前記データのＡＣＫ政策値を、ブロック確認応答（Ｂｌｏｃｋ  Ａｃｋ）を表す第１ＡＣＫ政策値以外の値に設定する、確認応答信号送信方法。
【請求項２】
前記ＳＴＡは、前記トリガーフレームベースで送信される前記データの前記ＡＣＫ政策値を、一般確認応答又は暗黙的ブロック確認応答要求を表す第２ＡＣＫ政策値に設定する、請求項１に記載の確認応答信号送信方法。
【請求項３】
前記第２ＡＣＫ政策値に設定された前記データの送信後に、前記ＡＰから前記データに対する確認応答信号を受信することをさらに含む、請求項２に記載の確認応答信号送信方法。
【請求項４】
前記確認応答信号は、前記第２ＡＣＫ政策値に設定された前記データの送信後にＳＩＦＳ（ｓｈｏｒｔ  ｉｎｔｅｒｆｒａｍｅ  ｓｐａｃｅ）で受信される、請求項３に記載の確認応答信号送信方法。
【請求項５】
前記ＡＰから前記多重ユーザ送信方式で下りリンクデータを受信する場合、前記下りリンクデータのＡＣＫ政策値は、前記第１ＡＣＫ政策値を含む複数のＡＣＫ政策値のいずれか一つに設定される、請求項１に記載の確認応答信号送信方法。
【請求項６】
前記複数のＡＣＫ政策値は、
一般確認応答又は即時送信ブロック確認応答要求を要求する‘００’、
確認応答を要求しない‘１０’、
明示的な確認応答を要求しないか又はＰＳＭＰ（ｐｏｗｅｒ  ｓａｖｅ  ｍｕｌｔｉ−ｐｏｌｌ）確認応答を要求する‘０１’、及び
ブロック確認応答要求（Ｂｌｏｃｋ  Ａｃｋ  Ｒｅｑｕｅｓｔ）ベースで確認応答を要求する‘１１’を含む、請求項５に記載の確認応答信号送信方法。
【請求項７】
前記第１ＡＣＫ政策値は‘１１’であり、前記第２ＡＣＫ政策値は‘００’である、請求項２に記載の確認応答信号送信方法。
【請求項８】
無線ＬＡＮ（ＷＬＡＮ）システムにおいてＡＰ（Ａｃｃｅｓｓ  Ｐｏｉｎｔ）に多重ユーザ送信方式で接続するステーション（ＳＴＡ）であって、
前記ＡＰからトリガー（ｔｒｉｇｇｅｒ）フレームを受信し、前記トリガーフレームに基づいて前記ＡＰに前記多重ユーザ送信方式でデータを送信するように構成される送受信器と、
前記送受信器に接続して、前記送受信器に前記データを提供するように構成されるプロセッサと、
を備え、
前記プロセッサは、前記トリガーフレームベースで送信される前記データのＡＣＫ政策値を、ブロック確認応答（Ｂｌｏｃｋ  Ａｃｋ）を表す第１ＡＣＫ政策値以外の値に設定するように構成される、ステーション。
【請求項９】
前記プロセッサは、前記トリガーフレームベースで送信される前記データのＡＣＫ政策値を、一般確認応答又は暗黙的ブロック確認応答要求を表す第２ＡＣＫ政策値に設定するように構成される、請求項８に記載のステーション。
【請求項１０】
前記送受信器が前記ＡＰから前記多重ユーザ送信方式で下りリンクデータを受信する場合、前記プロセッサは、前記第１ＡＣＫ政策値を含む複数のＡＣＫ政策値のいずれか一つに設定される前記下りリンクデータのＡＣＫ政策値を確認するように構成される、請求項８に記載のステーション。
【請求項１１】
無線ＬＡＮ（ＷＬＡＮ）システムにおいてＡＰ（Ａｃｃｅｓｓ  Ｐｏｉｎｔ）が多重ユーザ送信方式で複数のステーション（ＳＴＡ）からデータを受信する方法であって、
前記複数のＳＴＡにトリガー（ｔｒｉｇｇｅｒ）フレームを送信し、
前記複数のＳＴＡから前記多重ユーザ送信方式でデータを受信することを含み、
前記トリガーフレームに基づいて受信される前記データのＡＣＫ政策値は、ブロック確認応答（Ｂｌｏｃｋ  Ａｃｋ）を表す第１ＡＣＫ政策値以外の値に設定される、多重ユーザデータ受信方法。
【請求項１２】
前記トリガーフレームに基づいて受信される前記データのＡＣＫ政策値は、一般確認応答又は暗黙的ブロック確認応答要求を要求する第２ＡＣＫ政策値に設定される、請求項１１に記載の多重ユーザデータ受信方法。
【請求項１３】
前記ＡＰが前記多重ユーザ送信方式で前記複数のＳＴＡに下りリンクデータを送信する場合、前記ＡＰは、前記下りリンクデータのＡＣＫ政策値を前記第１ＡＣＫ政策値を含む複数のＡＣＫ政策値のいずれか一つに設定する、請求項１１に記載の多重ユーザデータ受信方法。
【請求項１４】
無線ＬＡＮ（ＷＬＡＮ）システムにおいて多重ユーザ送信方式で複数のステーション（ＳＴＡ）からデータを受信するＡＰ（Ａｃｃｅｓｓ  Ｐｏｉｎｔ）装置であって、
前記複数のＳＴＡにトリガー（ｔｒｉｇｇｅｒ）フレームを送信し、前記複数のＳＴＡから多重ユーザ送信方式でデータを受信するように構成される送受信器と、
前記送受信器に接続して前記データを処理するように構成されるプロセッサと、
を備え、
前記プロセッサは、前記データのＡＣＫ政策値がブロック確認応答（Ｂｌｏｃｋ  Ａｃｋ）を表す第１ＡＣＫ政策値以外の値に設定されることに対応して動作するように構成される、ＡＰ装置。
【請求項１５】
前記トリガーフレームに基づいて受信される前記データの前記ＡＣＫ政策値は、一般確認応答又は暗黙的送信ブロック確認応答要求を表す第２ＡＣＫ政策値に設定される、請求項１４に記載の多重ユーザデータ受信方法。
【発明の詳細な説明】
【技術分野】
【０００１】
以下の説明は、無線ＬＡＮシステムにおいて多重ユーザ又は多重ステーション（ＳＴＡ）データに対してＡＣＫ政策値に基づいて確認応答信号を送受信する方法及びそのための装置に関する。
【背景技術】
【０００２】
無線ＬＡＮ技術に対する標準はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａ及びｂは２．４．ＧＨｚ又は５ＧＨｚで非免許帯域（ｕｎｌｉｃｅｎｓｅｄ  ｂａｎｄ）を利用し、ＩＥＥＥ  ８０２．１１ｂは１１Ｍｂｐｓの伝送速度を提供し、ＩＥＥＥ  ８０２．１１ａは５４Ｍｂｐｓの伝送速度を提供する。ＩＥＥＥ  ８０２．１１ｇは２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ；ＯＦＤＭ）を適用し、５４Ｍｂｐｓの伝送速度を提供する。ＩＥＥＥ  ８０２．１１ｎは多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ；ＭＩＭＯ−ＯＦＤＭ）を適用し、４個の空間的なストリーム（ｓｐａｔｉａｌ  ｓｔｒｅａｍ）に対して３００Ｍｂｐｓの伝送速度を提供する。ＩＥＥＥ  ８０２．１１ｎではチャネル帯域幅（ｃｈａｎｎｅｌ  ｂａｎｄｗｉｄｔｈ）を４０ＭＨｚまで支援し、この場合には６００Ｍｂｐｓの伝送速度を提供する。
【０００３】
上述した無線ＬＡＮ標準は、最大１６０ＭＨｚ帯域幅を利用し、８個の空間ストリームを支援して最大１Ｇｂｉｔ／ｓの速度を支援するＩＥＥＥ  ８０２．１１ａｃ標準を経て、ＩＥＥＥ  ８０２．１１ａｘ標準化に関する議論が進められている。
【発明の概要】
【発明が解決しようとする課題】
【０００４】
ＩＥＥＥ  ８０２．１１ａｘ標準化では上りリンクＯＦＤＭＡ（ＵＬ  ＯＦＤＭＡ）送信方式及び上りリンク多重ユーザ（ＵＬ  ＭＵ）送信方式が用いられる予定である。これによって、同じ送信機会にＡＰは複数のＳＴＡからＵＬ  ＭＵフレームを受信することができ、これに対して確認応答フレームを送信することが必要である。
【０００５】
このとき、複数のＳＴＡにブロック確認応答フレーム（Ｂｌｏｃｋ  Ａｃｋ  Ｆｒａｍｅ）を用いて効率的に確認応答信号を送信することを考慮できるが、複数のＳＴＡに対するＭＵ  ＢＡフレーム又はＭ−ＢＡフレームはサイズが増加するため、オーバーヘッドが問題になり得る。
【０００６】
また、複数のＳＴＡの一部はＢＡを要求し、一部は一般ＡＣＫを要求する場合、手順が複雑になり、確認応答過程が遅延されることがある。
【０００７】
以下の説明では、上述したＵＬ  ＭＵ送信状況で効率的に確認応答信号を送信するための方法及び装置について説明する。
【課題を解決するための手段】
【０００８】
上述したような課題を解決するための本発明の一側面では、無線ＬＡＮ（ＷＬＡＮ）システムにおいてステーション（ＳＴＡ）がＡＰ（Ａｃｃｅｓｓ  Ｐｏｉｎｔ）に多重ユーザ方式で接続する方法であって、上記ＡＰからトリガー（ｔｒｉｇｇｅｒ）フレームを受信し、上記トリガーフレームに応答して上記ＡＰに多重ユーザ接続方式でデータを送信することを含み、上記ＳＴＡは、上記トリガーフレームベースで送信されるデータのＡＣＫ政策値を、ブロック確認応答要求（Ｂｌｏｃｋ  Ａｃｋ  Ｒｅｑｕｅｓｔ）ベースで確認応答信号送信を要求する第１ＡＣＫ政策値以外の値に設定することを特徴とする、確認応答信号送信方法を提案する。
【０００９】
上記ＳＴＡは、上記トリガーフレームベースで送信されるデータのＡＣＫ政策値を、一般確認応答又は即時送信ブロック確認応答を要求する第２ＡＣＫ政策値に設定することができる。
【００１０】
上記方法は、上記第２ＡＣＫ政策値に設定されたデータの送信後に、上記ＡＰから上記データに対する確認応答信号を受信することをさらに含むことができる。
【００１１】
このとき、上記確認応答信号は、上記第２ＡＣＫ政策値に設定されたデータを送信してからＳＩＦＳ（ｓｈｏｒｔ  ｉｎｔｅｒｆｒａｍｅ  ｓｐａｃｅ）後に受信されてもよい。
【００１２】
上記ＡＰから多重ユーザ方式で下りリンクデータを受信する場合、上記下りリンクデータのＡＣＫ政策値は、上記第１ＡＣＫ政策値を含む複数のＡＣＫ政策値のいずれか一つに設定されてもよい。
【００１３】
上記複数のＡＣＫ政策値は、一般確認応答又は即時送信ブロック確認応答を要求する‘００’、確認応答を要求しない‘０１’、明示的な確認応答を要求しないか又はＰＳＭＰ（ｐｏｗｅｒ  ｓａｖｅ  ｍｕｌｔｉ−ｐｏｌｌ）確認応答を要求する‘１０’、及びブロック確認応答要求（Ｂｌｏｃｋ  Ａｃｋ  Ｒｅｑｕｅｓｔ）ベースで確認応答信号送信を要求する‘１１’を含むことができる。
【００１４】
ここで、上記第１ＡＣＫ政策値は‘１１’であり、上記第２ＡＣＫ政策値は‘００’であってもよい。
【００１５】
一方、本発明の他の側面では、無線ＬＡＮ（ＷＬＡＮ）システムにおいてＡＰ（Ａｃｃｅｓｓ  Ｐｏｉｎｔ）に多重ユーザ方式で接続するステーション（ＳＴＡ）であって、上記ＡＰからトリガー（ｔｒｉｇｇｅｒ）フレームを受信し、上記トリガーフレームに応答して上記ＡＰに多重ユーザ接続方式でデータを送信するように構成される送受信器と、上記送受信器に接続して、上記送受信器に上記データを提供するように構成されるプロセッサとを備え、上記プロセッサは、上記トリガーフレームベースで送信されるデータのＡＣＫ政策値を、ブロック確認応答要求（Ｂｌｏｃｋ  Ａｃｋ  Ｒｅｑｕｅｓｔ）ベースで確認応答信号送信を要求する第１ＡＣＫ政策値以外の値に設定するように構成されることを特徴とするステーションを提案する。
【００１６】
上記プロセッサは、上記トリガーフレームベースで送信されるデータのＡＣＫ政策値を、一般確認応答又は即時送信ブロック確認応答を要求する第２ＡＣＫ政策値に設定するように構成されてもよい。
【００１７】
上記送受信器が上記ＡＰから多重ユーザ方式で下りリンクデータを受信する場合、上記プロセッサは、上記第１ＡＣＫ政策値を含む複数のＡＣＫ政策値のいずれか一つに設定される上記下りリンクデータのＡＣＫ政策値を確認するように構成されてもよい。
【００１８】
一方、本発明の更に他の側面では、無線ＬＡＮ（ＷＬＡＮ）システムにおいてＡＰ（Ａｃｃｅｓｓ  Ｐｏｉｎｔ）が多重ユーザ方式で複数のステーション（ＳＴＡ）からデータを受信する方法であって、上記複数のＳＴＡにトリガー（ｔｒｉｇｇｅｒ）フレームを送信し、上記複数のＳＴＡから多重ユーザ接続方式でデータを受信することを含み、上記トリガーフレーム送信後に受信されるデータのＡＣＫ政策値は、ブロック確認応答要求（Ｂｌｏｃｋ  Ａｃｋ  Ｒｅｑｕｅｓｔ）ベースで確認応答信号送信を要求する第１ＡＣＫ政策値以外の値に設定されることを特徴とする、多重ユーザデータ受信方法を提案する。
【００１９】
上記トリガーフレーム送信後に受信されるデータのＡＣＫ政策値は一般確認応答又は即時送信ブロック確認応答を要求する第２ＡＣＫ政策値に設定されてもよい。
【００２０】
上記ＡＰが多重ユーザ方式で上記複数のＳＴＡに下りリンクデータを送信する場合、上記ＡＰは、上記下りリンクデータのＡＣＫ政策値を、上記第１ＡＣＫ政策値を含む複数のＡＣＫ政策値のいずれか一つに設定することができる。
【００２１】
また、本発明の更に他の側面では、無線ＬＡＮ（ＷＬＡＮ）システムにおいて多重ユーザ方式で複数のステーション（ＳＴＡ）からデータを受信するＡＰ（Ａｃｃｅｓｓ  Ｐｏｉｎｔ）装置であって、上記複数のＳＴＡにトリガー（ｔｒｉｇｇｅｒ）フレームを送信し、上記複数のＳＴＡから多重ユーザ接続方式でデータを受信するように構成される送受信器と、上記送受信器に接続して上記データを処理するように構成されるプロセッサとを備え、上記プロセッサは、上記データのＡＣＫ政策値がブロック確認応答要求（Ｂｌｏｃｋ  Ａｃｋ  Ｒｅｑｕｅｓｔ）ベースで確認応答信号送信を要求する第１ＡＣＫ政策値以外の値に設定されていることに対応して動作するように構成される、ＡＰ装置を提案する。
【００２２】
このとき、上記トリガーフレーム送信後に受信されるデータのＡＣＫ政策値は、一般確認応答又は即時送信ブロック確認応答を要求する第２ＡＣＫ政策値に設定されてもよい。
【発明の効果】
【００２３】
上述したような本発明によれば、ＵＬ  ＭＵ送信状況でＡＰが複数のＳＴＡに対する確認応答信号を遅延無しで送信することができる。
【図面の簡単な説明】
【００２４】
【図１】無線ＬＡＮシステムの構成の一例を示す図である。
【図２】無線ＬＡＮシステムの構成の他の例を示す図である。
【図３】無線ＬＡＮシステムで活用されるブロック確認応答メカニズムを説明するための図である。
【図４】ブロック確認応答フレームの基本構成を示す図である。
【図５】図４に示したＢＡ制御フィールドの具体的構成を示す図である。
【図６】図４に示したＢＡ情報フィールドの具体的構成を示す図である。
【図７】Ｂｌｏｃｋ  Ａｃｋ開始シーケンス制御サブフィールドの構成を示す図である。
【図８】圧縮されたＢｌｏｃｋ  ＡｃｋフレームのＢＡ情報フィールドの構成を示す図である。
【図９】Ｍｕｌｔｉ−ＴＩＤ  Ｂｌｏｃｋ  ＡｃｋフレームのＢＡ情報フィールドを示す図である。
【図１０】Ｂｌｏｃｋ  Ａｃｋメカニズムが下りリンクＭＵ−ＭＩＭＯ方式に適用される場合を説明するための図である。
【図１１】Ｂｌｏｃｋ  Ａｃｋメカニズムが下りリンクＭＵ−ＭＩＭＯ方式に適用される場合を説明するための図である。
【図１２】本発明が適用される上りリンク多重ユーザ送信状況を説明するための図である。
【図１３】本発明の一実施例によってＡＣＫ政策を活用して複数のＳＴＡに確認応答信号を送信する方法を説明するための図である。
【図１４】本発明の一実施の形態によってブロック確認応答要求に基づくＡＣＫ政策値を使用しない場合を説明するための図である。
【図１５】本発明が適用される上りリンク多重接続状況についてさらに説明するための図である。
【図１６】本発明が適用される上りリンク多重接続状況についてさらに説明するための図である。
【図１７】本発明の他の実施例であって、ＡＰがトリガーフレーム送信時にＡＣＫ政策値を説明する場合を示す図である。
【図１８】本発明の他の実施例であって、ＡＰがトリガーフレーム送信時にＡＣＫ政策値を説明する場合を示す図である。
【図１９】上述したような方法を具現するための装置を説明するための図である。
【発明を実施するための形態】
【００２５】
以下、本発明に係る好適な実施の形態を、添付の図面を参照して詳しく説明する。添付の図面と共に以下に開示される詳細な説明は、本発明の例示的な実施の形態を説明するためのものであり、本発明が実施され得る唯一の実施の形態を表すものではない。
【００２６】
以下の詳細な説明は、本発明の完全な理解を提供するために具体的な細部事項を含む。しかし、このような具体的な細部事項無しにも本発明が実施され得るということが当業者には理解できる。いくつかの場合、本発明の概念が曖昧になることを避けるために公知の構造及び装置を省略したり、各構造及び装置の核心機能を中心にしたブロック図の形式で示すことができる。
【００２７】
上述したように、以下の説明は、無線ＬＡＮシステムにおいて広い帯域を有するチャネルを効率的に活用するための方法及びそのための装置に関する。そのために、まず、本発明が適用される無線ＬＡＮシステムについて具体的に説明する。
【００２８】
図１は無線ＬＡＮシステムの構成の一例を示した図である。
【００２９】
図１に示したように、無線ＬＡＮシステムは一つ以上の基本サービスセット（Ｂａｓｉｃ Ｓｅｒｖｉｃｅ Ｓｅｔ、ＢＳＳ）を含む。ＢＳＳは成功的に同期化して互いに通信することができるステーション（Ｓｔａｔｉｏｎ、ＳＴＡ）の集合である。
【００３０】
ＳＴＡは媒体接続制御（Ｍｅｄｉｕｍ Ａｃｃｅｓｓ Ｃｏｎｔｒｏｌ、ＭＡＣ）と無線媒体に対する物理階層（Ｐｈｙｓｉｃａｌ Ｌａｙｅｒ）インターフェースを含む論理個体であって、アクセスポイント（ａｃｃｅｓｓ ｐｏｉｎｔ、ＡＰ）と非ＡＰ ＳＴＡ（Ｎｏｎ−ＡＰ Ｓｔａｔｉｏｎ）を含む。ＳＴＡのうち、使用者が操作する携帯用端末はＮｏｎ−ＡＰ ＳＴＡであって、単にＳＴＡと言うときはＮｏｎ−ＡＰ ＳＴＡを示すこともある。Ｎｏｎ−ＡＰ ＳＴＡは、端末（ｔｅｒｍｉｎａｌ）、無線送受信ユニット（Ｗｉｒｅｌｅｓｓ Ｔｒａｎｓｍｉｔ／Ｒｅｃｅｉｖｅ Ｕｎｉｔ、ＷＴＲＵ）、使用者装備（Ｕｓｅｒ Ｅｑｕｉｐｍｅｎｔ、ＵＥ）、移動局（Ｍｏｂｉｌｅ Ｓｔａｔｉｏｎ、ＭＳ）、携帯用端末（Ｍｏｂｉｌｅ Ｔｅｒｍｉｎａｌ）、又は移動加入者ユニット（Ｍｏｂｉｌｅ Ｓｕｂｓｃｒｉｂｅｒ Ｕｎｉｔ）などの他の名称とも呼ばれることができる。
【００３１】
そして、ＡＰは自分に結合されたＳＴＡ（Ａｓｓｏｃｉａｔｅｄ Ｓｔａｔｉｏｎ）に無線媒体を介して分配システム（Ｄｉｓｔｒｉｂｕｔｉｏｎ Ｓｙｓｔｅｍ、ＤＳ）への接続を提供する個体である。ＡＰは、集中制御器、基地局（Ｂａｓｅ Ｓｔａｔｉｏｎ、ＢＳ）、Ｎｏｄｅ−Ｂ、ＢＴＳ（Ｂａｓｅ Ｔｒａｎｓｃｅｉｖｅｒ Ｓｙｓｔｅｍ）、又はサイト制御器などと呼ばれることもできる。
【００３２】
ＢＳＳはインフラストラクチャー（ｉｎｆｒａｓｔｒｕｃｔｕｒｅ）ＢＳＳと独立的（Ｉｎｄｅｐｅｎｄｅｎｔ）ＢＳＳ（ＩＢＳＳ）に区分することができる。
【００３３】
図１に示したＢＢＳはＩＢＳＳである。ＩＢＳＳはＡＰを含んでいないＢＳＳを意味し、ＡＰを含んでいないので、ＤＳへの接続が許されなくて自己完結的ネットワーク（ｓｅｌｆ−ｃｏｎｔａｉｎｅｄ ｎｅｔｗｏｒｋ）を成す。
【００３４】
図２は無線ＬＡＮシステムの構成の他の例を示した図である。
【００３５】
図２に示したＢＳＳはインフラストラクチャーＢＳＳである。インフラストラクチャーＢＳＳは一つ以上のＳＴＡ及びＡＰを含む。インフラストラクチャーＢＳＳにおいて、非ＡＰ ＳＴＡの間の通信はＡＰを介してなされることが原則であるが、非ＡＰ ＳＴＡの間に直接リンク（ｌｉｎｋ）が設定された場合には、非ＡＰ ＳＴＡの間で直接通信も可能である。
【００３６】
図２に示したように、複数のインフラストラクチャーＢＳＳはＤＳを介して互いに連結されることができる。ＤＳを介して連結された複数のＢＳＳを拡張サービスセット（Ｅｘｔｅｎｄｅｄ Ｓｅｒｖｉｃｅ Ｓｅｔ、ＥＳＳ）と言う。ＥＳＳに含まれるＳＴＡは互いに通信することができ、同じＥＳＳ内で非ＡＰ ＳＴＡは切れなしに通信しながら一つのＢＳＳから他のＢＳＳに移動することができる。
【００３７】
ＤＳは複数のＡＰを連結するメカニズム（ｍｅｃｈａｎｉｓｍ）であって、必ずしもネットワークである必要はなく、所定の分配サービスを提供することができる限り、その形態に対しては何らの制限がない。例えば、ＤＳはメッシュ（ｍｅｓｈ）ネットワークのような無線ネットワークであってもよく、ＡＰを互いに連結する物理的な構造物であってもよい。
【００３８】
以上に基づいて無線ＬＡＮシステムにおけるブロック確認応答（Ｂｌｏｃｋ  Ａｃｋ）方式について説明する。
【００３９】
Ｂｌｏｃｋ  Ａｃｋメカニズムは、一つのフレームに複数の確認応答を含めて送信することによってチャネル効率性を増大させる方式である。Ｂｌｏｃｋ  Ａｃｋメカニズムには即時応答方式及び遅延応答方式の２種類の方式がある。即時応答方式は、広い帯域幅と低い遅延トラフィック送信に有利であり、遅延応答方式は、遅延に敏感でないアプリケーションに適合する。以下の説明において特別な規定がない限り、Ｂｌｏｃｋ  Ａｃｋメカニズムを用いてデータを送るＳＴＡを発信者（ｏｒｉｇｉｎａｔｏｒ）と、このようなデータを受信するＳＴＡを受信者（ｒｅｃｉｐｉｅｎｔ）と表現する。
【００４０】
図３は、無線ＬＡＮシステムにおいて活用されるＢｌｏｃｋ  Ａｃｋメカニズムを説明するための図である。
【００４１】
Ｂｌｏｃｋ  Ａｃｋメカニズムを図３に示すようにＡＤＤＢＡ（ａｄｄ  Ｂｌｏｃｋ  Ａｃｋｎｏｗｌｅｄｇｍｅｎｔ）要求／応答フレームの交換によって開始することができる（（ａ）Ｓｅｔｕｐ段階）。このような開始後に、ＱｏＳデータフレームブロックを発信者から受信者に送信することができる。これらのブロックは、ボールされたＴＸＯＰ内又はＥＤＣＡ競合で勝つことによって開始することができる。上記ブロック内フレームの数は制限されてもよい。このようなフレームブロック内ＭＰＤＵは、ＢｌｏｃｋＡｃｋＲｅｑフレームによる要求に応じて受信されるＢｌｏｃｋＡｃｋフレームによって受信確認することができる（（ｂ）Ｄａｔａ  ＆  Ｂｌｏｃｋ  Ａｃｋ段階）。
【００４２】
発信者にとってそれ以上送信するデータがなく、最終Ｂｌｏｃｋ  Ａｃｋ交換が完了する場合、発信者は受信者にＤＥＬＢＡ（ｄｅｌｅｔｅ  Ｂｌｏｃｋ  Ａｃｋｎｏｗｌｅｄｇｍｅｎｔ）フレームを送信してＢｌｏｃｋ  Ａｃｋメカニズムを終了することができる。このようなＤＥＬＢＡフレームを受信した受信者は、Ｂｌｏｃｋ  Ａｃｋ送信のために割り当てられた全てのリソースを解除することができる（（ｃ）Ｔｅａｒ  Ｄｏｗｎ段階）。
【００４３】
図４は、ブロック確認応答フレームの基本構成を示す図である。
【００４４】
ブロック確認応答フレームは、図４に示すように、ＭＡＣヘッダーフィールド、ＢＡ制御（ＢＡ  Ｃｏｎｔｒｏｌ）フィールド及びＢＡ情報（ＢＡ  ｉｎｆｏｒｍａｔｉｏｎ）フィールドを含むことができる。また、ＭＡＣヘッダーフィールドはフレーム制御フィールド、Ｄｕｒａｔｉｏｎ／ＩＤフィールド、ＲＡフィールド及びＴＡフィールドを含むことができる。ここで、ＲＡフィールドは受信ＳＴＡのアドレスを、ＴＡフィールドは発信ＳＴＡのアドレスを示す。
【００４５】
図５は、図４に示したＢＡ制御フィールドの具体的構成を示す図である。
【００４６】
ＢＡ制御フィールド内ＢＡ  Ａｃｋ政策サブフィールドの値は次表１のような意味を伝達することができる。
【００４７】
【表１】
0006518009.tif 000002
【００４８】
一方、ＢＡ制御フィールド内Ｍｕｌｔｉ−ＴＩＤ、Ｃｏｍｐｒｅｓｓｅｄ  Ｂｉｔｍａｐ及びＧＣＲサブフィールドは、可能なＢｌｏｃｋＡｃｋフレーム変形を次のような規定によって決定することができる。
【００４９】
【表２】
0006518009.tif 000003
【００５０】
図６は、図４に示したＢＡ情報フィールドの具体的構成を示す図であり、図７は、Ｂｌｏｃｋ  Ａｃｋ開始シーケンス制御サブフィールドの構成を示す図である。
【００５１】
図６に示すように、ＢＡ情報フィールドはＢｌｏｃｋ  Ａｃｋ開始シーケンス制御（ＳＳＣ）サブフィールド及びＢｌｏｃｋ  Ａｃｋビットマップサブフィールドを含むことができる。
【００５２】
図６に示すように、Ｂｌｏｃｋ  Ａｃｋビットマップサブフィールドは１２８オクテット長を有し、これによって、６４個のＭＳＤＵの受信状態を示すことができる。Ｂｌｏｃｋ  Ａｃｋビットマップフィールドのビット位置ｎは、仮に１に設定される場合、（ＳＳＣ＋ｎ）に対応するＭＰＤＵシーケンス制御値を有するＭＰＤＵの受信成功を示すことができ、ここで、ＳＳＣはＢｌｏｃｋ  Ａｃｋ開始シーケンス制御サブフィールドの値を表す。一方、Ｂｌｏｃｋ  Ａｃｋビットマップフィールドのビット位置ｎが０に設定される場合、（ＳＳＣ＋ｎ）に対応するＭＰＤＵシーケンス制御値を有するＭＰＤＵが受信されなかったことを示すことができる。ＭＰＤＵシーケンス制御フィールド及びＢｌｏｃｋ  Ａｃｋ開始シーケンス制御サブフィールド値はそれぞれ、１６ビットの符号なし整数（ｕｎｓｉｇｎｅｄ  ｉｎｔｅｇｅｒ）と取り扱うことができる。ＭＳＤＵの未使用フラグメント番号（ｆｒａｇｍｅｎｔ  ｎｕｍｂｅｒ）に対して、ビットマップにおける対応するビットは、０に設定することができる。
【００５３】
図８は、圧縮されたＢｌｏｃｋ  ＡｃｋフレームのＢＡ情報フィールド構成を示す図である。
【００５４】
圧縮されたＢｌｏｃｋ  ＡｃｋフレームのＢＳ情報フィールドのＢｌｏｃｋ  Ａｃｋビットマップは、図８に示すように、８オクテット長を有することができ、６４個のＭＳＤＵ及びＡ−ＭＳＤＵの受信状態を示すことができる。ビットマップの最初のビットは開始シーケンス番号サブフィールドの値に対応するＭＳＤＵ又はＡ−ＭＳＤＵに対応し、各ビットは上記ＭＳＤＵ又はＡ−ＭＳＤＵ後のＭＳＤＵ又はＡ−ＭＳＤＵに順次に対応し得る。
【００５５】
図９は、Ｍｕｌｔｉ−ＴＩＤ  Ｂｌｏｃｋ  ＡｃｋフレームのＢＡ情報フィールドを示す図である。
【００５６】
Ｍｕｌｔｉ−ＴＩＤ  ＢｌｏｃｋＡｃｋフレームのＢＡ制御フィールドのＴＩＤ＿ＩＮＦＯサブフィールドは、ＢＡ情報フィールドでいくつのＴＩＤに対する情報を伝達するかを示す。具体的に、ＴＩＤ＿ＩＮＦＯサブフィールドの値は、ＢＡ情報フィールドの情報に対応するＴＩＤの数−１を示す。例えば、ＴＩＤ＿ＩＮＦＯ値が２である場合、ＢＡ情報フィールドは３個のＴＩＤに対する情報を含むことを示すことができる。
【００５７】
一方、Ｍｕｌｔｉ−ＴＩＤ  ＢｌｏｃｋＡｃｋフレームの場合、図９に示すように、Ｂｌｏｃｋ  Ａｃｋ開始シーケンス制御サブフィールド及びＢｌｏｃｋ  Ａｃｋビットマップサブフィールドに加えてＰｅｒ  ＴＩＤ  Ｉｎｆｏサブフィールドをさらに含むことができる。最初に登場するＰｅｒ  ＴＩＤ  Ｉｎｆｏ、ｂｌｏｃｋ  Ａｃｋ開始シーケンス制御、Ｂｌｏｃｋ  Ａｃｋビットマップサブフィールドは、最も低いＴＩＤ値に対応して送信することができ、次の繰り返されるサブフィールドは次のＴＩＤに対応し得る。これら三つ揃いのサブフィールドはＴＩＤごとに繰り返され得る。
【００５８】
図１０及び図１１は、Ｂｌｏｃｋ  Ａｃｋメカニズムが下りリンクＭＵ−ＭＩＭＯ方式に適用される場合を説明するための図である。
【００５９】
図１０及び図１１に示すように、ＡＰは複数のＳＴＡ（ＳＴＡ１〜３）にＭＵ−ＭＩＭＯデータフレームを送信することができる。
【００６０】
図１０は、ＭＵ  ＰＰＤＵを送信してからＳＩＦＳ後にフレーム交換がなされることを仮定している。図１０の場合、ＳＴＡ１に対しては暗黙的Ｂｌｏｃｋ  Ａｃｋ要求がＡｃｋ政策として設定され、ＳＴＡ２及びＳＴＡ３に対してはＢｌｏｃｋ  ＡＣＫがＡｃｋ政策として設定されたことを仮定している。このため、ＳＴＡ１の場合、ＢＡに対する要求無しにも直ちに下りリンクＭＵ  ＰＰＤＵ受信後にＢＡフレームを送信することができる。これに対し、ＳＴＡ２及びＳＴＡ３にはＡＰがＢＡＲ（ＢＡ  Ｒｅｑｕｅｓｔ）フレームを送信してポーリングを行うことができ、これに応じてＳＴＡ２及びＳＴＡ３はＢＡフレームを送信することができる。
【００６１】
一方、図１１は、ＭＵ  ＰＰＤＵ後にＳＩＦＳ無しでフレーム交換がなされる例であり、全ＳＴＡにＡｃｋ政策としてＢｌｏｃｋ  Ａｃｋが設定された場合を仮定する。これによって、ＡＰは全ＳＴＡにＢＡＲフレームを送信してポールすることができる。
【００６２】
図１２は、本発明が適用される上りリンク多重ユーザ送信状況を説明するための図である。
【００６３】
上述したように、８０２．１１ａｘシステムではＵＬ  ＭＵ送信方式を用いることができ、これは、図１２に示すようにＡＰが複数のＳＴＡ（例えば、ＳＴＡ１〜ＳＴＡ４）にトリガーフレーム（Ｔｒｉｇｇｅｒ  Ｆｒａｍｅ）を送信することによって開始することができる。トリガーフレームはＵＬ  ＭＵ割り当て情報（例えば、リソース位置及びサイズ、ＳＴＡ  ＩＤ、ＭＣＳ、ＭＵタイプ（ＭＩＭＯ、ＯＦＤＭＡなど））を含むことができる。具体的にトリガーフレームで送信し得る情報の一例として次のものを挙げることができ。
【００６４】
【表３】
0006518009.tif 000004
【００６５】
一方、図１２に示すように、ＡＰは媒体に接続するために競合過程を経てトリガーフレームを送信するＴＸＯＰを取得することができる。これによって、ＳＴＡはトリガーフレームのＳＩＦＳ後に、ＡＰの示すフォーマットでＵＬデータフレームを送信することができる。これに対応して本発明に係るＡＰはＢＡ（Ｂｌｏｃｋ  ＡＣＫ）フレームでＵＬ  ＭＵデータフレームに対して確認応答を行うことを仮定する。
【００６６】
一方、上りリンク多重接続方式においてＡＰの送信する確認応答信号送信方式を柔軟にするためにＳＴＡ別ＡＣＫ政策値を柔軟に適用することを考慮することができる。
【００６７】
ＵＬ  ＭＵフレームのＱｏＳ制御フィールドは次のような構成を有しており、特にＱｏＳ制御フィールドはビット５〜６にＡＣＫ政策を示す２ビットのフィールドを有する。
【００６８】
【表４】
0006518009.tif 000005
【００６９】
【表５】
0006518009.tif 000006
【００７０】
上記の表４及び表５に示したＡＣＫ政策フィールドの値は次のように設定されている。
【００７１】
【表６】
0006518009.tif 000007
【００７２】
【表７】
0006518009.tif 000008
【００７３】
【表８】
0006518009.tif 000009
【００７４】
【表９】
0006518009.tif 000010
【００７５】
すなわち、上述したＡｃｋ政策フィールドは２ビット情報を用いて４つの異なる値を示すことができ、それぞれの値に対する定義は、上記表６〜表９に定義された通りである。以下の説明では、このようなＡｃｋ政策フィールドを上りリンクＭＵ状況にも適用して、ＡＰがより柔軟に複数のＳＴＡに対して確認応答信号を送信する方法を提案しようとする。以下の説明で使用するＡＣＫ政策値は、上記の表６〜表９に示した意味の他にも次のような意味をさらに有することができるが、特別に規定しない限り、上記の表６〜表９の定義を借用するものとする。
【００７６】
図１３は、本発明の一実施例によってＡｃｋ政策を活用して複数のＳＴＡに確認応答信号を送信する方法を説明するための図である。
【００７７】
図１３の例のように、ＡＰはＳＴＡ１〜４にトリガーフレームを送信してＵＬ  ＭＵフレーム送信を誘導することができる。これに応じてＳＴＡ１〜４がＵＬ  ＭＵフレームを送信する時、ＭＰＤＵにＡＣＫ政策を含めて送信することができる。図１３ではＳＴＡ１及び３はＡＣＫ政策値を００に設定し、ＳＴＡ２及び４はＡＣＫ政策値を１１に設定することを仮定した。
【００７８】
ＵＬ  ＭＵフレームのＡＣＫ政策値が００である場合、本実施の形態では単一ＭＰＤＵに対する暗黙的ＢＡ／ＡＣＫを要求すると仮定し、ＡＰは該当のＳＴＡのＵＬ  ＭＵフレームを受信してからＳＩＦＳ時間後に、ＡＣＫ政策＝＝００（暗黙的ＢＡ／ＡＣＫ）を示すＵＬ  ＭＵフレームを送信したＳＴＡにＢＡを同時に直ちに送信（すなわち、Ｍ−ＢＡ送信）することができる。Ｍ−ＢＡは複数のＳＴＡに対するＡＣＫ／ＢＡを含むと仮定する。すなわち、ＡＣＫ政策＝＝００を有するＵＬ  ＭＵフレームを一つ以上受信すると、ＳＩＦＳ後にＭ−ＢＡを送信し、その後、Ａｃｋ政策がＢＡ１１に設定されたＵＬ  ＭＵフレームを送信したＳＴＡからはＢＡＲを受信した後、Ｂｌｏｃｋ  ＡＣＫを、ＢＡＲを送信したＳＴＡに送信することができる。
【００７９】
図１３でＳＴＡ１、ＳＴＡ３のＡＣＫ政策が００（暗黙的ＢＡ又は単一ＭＰＤＵに対するＡＣＫ（ＡＣＫ  ｆｏｒ  ｓｉｎｇｌｅ  ＭＰＤＵ））であるので、ＡＰはＵＬ  ＭＵフレームを受信してＳＩＦＳ後に、ＳＴＡ１、ＳＴＡ３にＢＡ／ＡＣＫを一度に送信（すなわち、Ｍ−ＢＡで送信）する。このとき、複数ＳＴＡ（Ｍｕｌｔｉｐｌｅ  ＳＴＡ）に対するＢＡ／ＡＣＫ情報を含むＢｌｏｃｋ  ＡＣＫ（Ｍｕｌｔｉ−ＳＴＡ  ＢＡ）をＡＰが送信することもできる。
【００８０】
その後、ＡＰは、ＡＣＫ政策がＢＡ１１であるＵＬフレームを送信したＳＴＡ２及びＳＴＡ４からＢＡＲを受けるために待つことができる。ＳＴＡ２がＢＡＲを競合ベースで送信し、ＡＰは応答としてＳＴＡ２にＢＡを送信することができる。その後、ＳＴＡ４がＢＡＲを競合ベースで送信し、ＡＰは応答としてＳＴＡ４にＢＡを送信することができる。
【００８１】
ただし、図１３のように複数のＳＴＡ別にＡＣＫ政策値を柔軟に運用する場合、ＵＬ  ＭＵ動作が複雑になることがあり、特に、ＡＣＫ政策値‘１１’を使用するＳＴＡの場合、ＡＰは当該ＳＴＡからのＢＡＲ受信を待った後にＡＣＫを送信するしかなく、手順が遅れてしまう。
【００８２】
このことから、本発明の好適な一実施の形態ではＵＬ  ＭＵ状況でＡＣＫ政策値‘１１’を使用しないように設定することを提案する。これによって、ＳＴＡはＵＬ  ＭＵ形態でデータを送信し、これに対するＡＣＫ政策値は‘１１’以外の値（例えば、‘００’、‘０１’及び‘１０’）に設定することを仮定する。これによって、ＳＴＡは確認応答を要求する場合、ＡＣＫ政策値を‘００’に設定して動作することが好ましい。
【００８３】
このようなＵＬ  ＭＵの状況は上述したＤＬ  ＭＵの状況とは異なり得る。ＤＬ  ＭＵの場合、ＡＰが複数のＳＴＡに対するＡＣＫ政策値を一括的に決定できるため、ＡＰの状況に応じて一部のＳＴＡにＢＡＲベースで動作するＡＣＫ政策を選択することができる。
【００８４】
図１４は、本発明の一実施の形態によってブロック確認応答要求に基づくＡＣＫ政策値を使用しない場合を説明するための図である。
【００８５】
図１４に示すように、ＡＰはトリガーフレームを送信して複数のＳＴＡのＵＬ  ＭＵ方式フレーム送信を誘導することができる。これに応じて各ＳＴＡはＵＬ  ＭＵフレームを送信するが、図１４の例においてＳＴＡ１〜ＳＴＡ４が当該フレームに対する確認応答の受信を要求することを仮定する。したがって、ＳＴＡ１〜４はいずれもＡＣＫ政策値を‘００’に設定して送信し、これによって、ＳＩＦＳ以降にＡＰから確認応答信号を受信するようになる。
【００８６】
一方、図１４の例ではＡＰがＭ−ＢＡで確認応答信号を送信する場合を示している。したがって、ＡＰはＭ−ＢＡを用いてＳＴＡ１〜ＳＴＡ４に対する確認応答信号を全て含んで送信することができる。
【００８７】
図１５及び図１６は、本発明が適用される上りリンク多重接続状況についてさらに説明するための図である。
【００８８】
図１５は、上述した説明のように、ＡＰの送信したトリガーフレームに応答してＳＴＡ１〜ＳＴＡ４がＵＬ  ＭＵ  ＰＰＤＵを送信する状況を示す図である。図１５で、ＳＴＡ１〜ＳＴＡ３は、送信したＵＬ  ＭＵ  ＰＰＤＵに対する確認応答信号を要求しているので、上述したように、ＡＣＫ政策値を‘００’に設定して送信することが好ましい。ただし、図１５でＳＴＡ４は送信したＵＬ  ＭＵ  ＰＰＤＵに対して確認応答信号を要求せず、これによってＡＣＫ政策値を‘０１’に設定して送信することができる。
【００８９】
これによって、ＡＰは、ＡＣＫ政策値を‘００’に設定したＳＴＡ１〜ＳＴＡ３に対してＤＬ  ＯＦＤＭＡ  ＢＡ又はＭ−ＢＡで確認応答信号を送信することができる。
【００９０】
一方、図１６に示すように、ＡＰがＤＬ  ＭＵ  ＰＰＤＵを送信する時、トリガーフレーム（Ｔｒｉｇｇｅｒ  ｆｒａｍｅ）を共に送信し、これによってＳＴＡがＵＬ  ＭＵ  ＰＰＤＵ又はＵＬ  Ａｃｋを送信した後に、Ａｃｋを必要とするＵＬ  ＭＵ  ＰＰＤＵに対してＤＬ  Ａｃｋを送信することもできる。このとき、ＤＬ  ＭＵ  ＰＰＤＵに対するＡｃｋを送信するためのトリガー情報は含まれてもよく、暗黙的（ｉｍｐｌｉｃｉｔ）にしてもよい。
【００９１】
この時、ＤＬ  Ａｃｋ  ｆｒａｍｅはＯＦＤＭＡ形態で送信されてもよく、Ｍ−ＢＡ形態で送信されてもよい。すなわち、各ＳＴＡに送信されるＡｃｋ情報が各ＯＦＤＭＡフレームとして構成されて送信されてもよく、全てのＳＴＡに送信されるＡｃｋ情報が１つのフレーム内に併合（Ａｇｇｒｅｇａｔｉｏｎ）され、１つのフレームとして構成されて送信されてもよい。２０ＭＨｚ内でのみＭ−ＢＡを使用し、それ以上のＢＷに対してはＯＦＤＭＡ形態で送信するなどの２種類の方式のハイブリッド（Ｈｙｂｒｉｄ）方式も可能である。
【００９２】
上述したように、ＵＬ  ＭＵ状況ではＤＬ  ＭＵ状況と違い、ＡＣＫ政策値をＳＴＡ別に異なるように設定する場合、手順が複雑となり、不要な遅延が発生することがあるので、ＡＣＫ政策値‘１１’を使用しないことが好ましい。
【００９３】
ただし、本発明の他の実施の形態では、上述したようなＵＬ  ＭＵ状況でＳＴＡ別に異なるＡＣＫ政策値を選択する問題を解決し、且つ、ＳＴＡ別状況によってＡＣＫ政策を柔軟に運用するためにＡＰがトリガーフレームを用いてＳＴＡ別ＡＣＫ政策を設定することを提案する。
【００９４】
図１７及び図１８は、本発明の他の実施例であって、ＡＰがトリガーフレーム送信時にＡＣＫ政策値を説明する場合を示している。
【００９５】
このとき、ＡＰはトリガーフレームでＡＣＫ政策を全ＳＴＡに対して同一に又はＳＴＡ別に異なるように設定することができる。図１７は、全ＳＴＡに対して同じＡＣＫ政策＝＝００（暗黙的ＢＡ）を設定した例を示し、図１８はＳＴＡ別にＡＣＫ政策を設定した例を示している。
【００９６】
図１８の例で、ＳＴＡ１、ＳＴＡ３のＡＣＫ政策（Ａ＿Ｐ）は００（暗黙的ＢＡ／単一ＭＰＤＵに対するＡＣＫ）に設定され、ＳＴＡ２、ＳＴＡ４に対するＡＣＫ政策（Ａ＿Ｐ）は１１（Ｂｌｏｃｋ  ＡＣＫ）に設定されているため、ＡＰはＵＬ  ＭＵフレームを受信し、Ｍ−ＢＡでＳＴＡ１、ＳＴＡ３に対するＢＡ／ＡＣＫを送信し、その後、ＳＴＡ２、ＳＴＡ４に対するＭＵ  ＢＡＲ送信のためのリソースをトリガーフレームを用いて割り当てることができる。
【００９７】
図１９は、上述したような方法を具現するための装置を説明するための図である。
【００９８】
図１９で、無線装置８００は上述の説明における特定ＳＴＡに、無線装置８５０は上述の説明におけるＡＰに対応し得る。
【００９９】
ＳＴＡ８００はプロセッサ８１０、メモリ８２０、送受信部８３０を備えることができ、ＡＰ８５０はプロセッサ８６０、メモリ８７０及び送受信部８８０を含むことができる。送受信部８３０，８８０は無線信号を送信／受信し、ＩＥＥＥ  ８０２．１１／３ＧＰＰなどの物理層で実行され得る。プロセッサ８１０，８６０は物理層及び／又はＭＡＣ層で実行され、送受信部８３０，８８０に接続している。プロセッサ８１０，８６０は上述のＵＬ  ＭＵスケジューリング手順を行うことができる。
【０１００】
プロセッサ８１０，８６０及び／又は送受信部８３０，８８０は、特定集積回路（ａｐｐｌｉｃａｔｉｏｎ−ｓｐｅｃｉｆｉｃ  ｉｎｔｅｇｒａｔｅｄ  ｃｉｒｃｕｉｔ；ＡＳＩＣ）、他のチップセット、論理回路及び／又はデータプロセッサを含むことができる。メモリ８２０，８７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、記憶媒体及び／又は他の記憶ユニットを含むことができる。一実施例がソフトウェアによって実行されるとき、上述の方法は上述の機能を実行するモジュール（例えば、プロセス、機能）として実行されてもよい。上記モジュールはメモリ８２０，８７０に記憶され、プロセッサ８１０，８６０によって実行され得る。上記メモリ８２０，８７０は上記プロセス８１０，８６０の内部又は外部に配置され、周知の手段によって上記プロセス８１０，８６０に接続し得る。
【０１０１】
以上開示された本発明の好適な実施の形態に関する詳細な説明は、当業者が本発明を具現して実施できるように提供された。上記では本発明の好適な実施の形態を参照して説明したが、当該技術の分野における熟練した当業者は上述の説明から本発明を様々に修正及び変更させ得ることが理解できるであろう。したがって、本発明は、ここに現れた実施の形態に制限されものではなく、ここに開示された原理及び新規な特徴と一致する最も広い範囲を与えようとするものである。
【産業上の利用可能性】
【０１０２】
上述したような本発明はＩＥＥＥ  ８０２．１１ベース無線ＬＡＮシステムに適用されることを仮定して説明したが、これに限定される必要はない。本発明は、ＡＰが複数のＳＴＡに対してＢｌｏｃｋ  Ａｃｋメカニズムを運用し得る様々な無線システムに同様の方式で適用可能である。
【図１】
0006518009.tif 000011
【図２】
0006518009.tif 000012
【図３】
0006518009.tif 000013
【図４】
0006518009.tif 000014
【図５】
0006518009.tif 000015
【図６】
0006518009.tif 000016
【図７】
0006518009.tif 000017
【図８】
0006518009.tif 000018
【図９】
0006518009.tif 000019
【図１０】
0006518009.tif 000020
【図１１】
0006518009.tif 000021
【図１２】
0006518009.tif 000022
【図１３】
0006518009.tif 000023
【図１４】
0006518009.tif 000024
【図１５】
0006518009.tif 000025
【図１６】
0006518009.tif 000026
【図１７】
0006518009.tif 000027
【図１８】
0006518009.tif 000028
【図１９】
0006518009.tif 000029